(57)【特許請求の範囲】
【請求項１】
一端部１１から中間部１２に、着脱可能に接合するための、多数の小突起２１を植設したかみ合い部２０を形成し、他端部１３に、前記かみ合い部２０の小突起２１に着脱可能に接合するための小突起３１を植設したかみ合い部３０を形成したベルト１０と、２輪又は４輪のキャスターを底部に設け、伸縮把手を上部に設けた旅行用かばん、スーツケース、トランク等であって走行できるようにしたキャリーバッグ（以下、単にキャリーバッグという。）４０の伸縮把手４１に、外嵌できるようにした、筒状カバー５０とを備え、前記ベルト１０と、前記伸縮把手４１に外嵌した前記筒状カバー５０とを介して、他のバッグ類又は包装物等（以下、単に他のバッグ類という。）６０を、前記キャリーバッグ４０にのせられるように、又は、吊るせるようにしたことを特徴としたキャリーバッグ用ベルト。
【請求項２】
前記ベルト１０が、前記伸縮把手４１に外嵌した筒状カバー５０の筒外面５２又は筒内面５３の上端と下端とから、前記伸縮把手４１の間を通って、前記他のバッグ類６０を前記キャリーバッグ４０にのせ、又は、吊るせるようにしたことを特徴とした請求項１記載のキャリーバッグ用ベルト。
【請求項３】
前記ベルト１０が、前記伸縮把手４１に外嵌できるようにした筒状カバー５０の筒外面５１又は５２又は筒内面５３又は５４に結合できるようにして、前記筒状カバー５０の上端と下端とから前記伸縮把手４１の間を通って、前記他のバッグ類６０を前記キャリーバッグ４０にのせ、又は、吊るせるようにしたことを特徴とした請求項１記載のキャリーバッグ用ベルト。
【発明の詳細な説明】
【技術分野】
【０００１】
本発明は、２輪又は４輪のキャスターを底部に設け、上部に伸縮把手を設けて、走行できるようにした旅行用かばん、スーツケース、トランク等のキャリーバッグ（以下、単にキャリーバッグという。）に、他のバッグ類や包装物等をのせ又は吊るして走行できるようにしたキャリーバッグ用ベルトに関する。
【背景技術】
【０００２】
従来、２輪又は４輪のキャスターを底部に設け、上部に設けた伸縮する把手により走行できるようにしたキャリーバッグは、その上面に、他のバッグ類や包装物をのせ又は吊るして走行させたいときは、紐類でこれらの他のバッグ類や包装物を固縛しなければならなかった。しかし、紐類による固縛、或いは、解縛は、迅速容易に行うことが困難な場合が多く、また、体裁も悪い欠点があった。
【特許文献１】登録実用新案第３０３６００６号公報
【特許文献２】特開２００６−３４５９１２号公報
【発明の開示】
【発明が解決しようとする課題】
【０００３】
本発明は、２輪又は４輪のキャスターにより走行できるようにしたキャリーバッグに、１個又は複数個の他のバッグ類又は包装物等をのせ又は吊るして走行するのに便利なキャリーバッグ用ベルトを提供することにある。
また、本発明は、２輪又は４輪のキャスターにより走行できるようにしたキャリーバッグに、他のバッグ類又は包装物等を迅速容易に固縛又は解縛できるようにすると共に、バッグ類又は包装物等をキャリーバッグに積んで安全確実に走行できるようにしたキャリーバッグ用ベルトを提供することにある。
さらに、本発明は、取扱容易、構造簡単、軽量小型で、キャリーバッグに格納しやすく、安価に製作できるキャリーバッグ用ベルトを提供することにある。
【課題を解決するための手段】
【０００４】
本発明キャリーバッグ用ベルトは、上記課題を達成するため、図示するように、請求項１の発明は、一端部１１から中間部１２に、着脱可能に接合するための、多数の小突起２１を植設したかみ合い部２０を形成し、他端部１３に、前記かみ合い部２０の小突起２１に着脱可能に接合するための小突起３１を植設したかみ合い部３０を形成したベルト１０と、２輪又は４輪のキャスターを底部に設け、伸縮把手を上部に設けた旅行用かばん、スーツケース、トランク等であって走行できるようにしたキャリーバッグ（以下、単にキャリーバッグという。）４０の伸縮把手４１に、外嵌できるようにした、筒状カバー５０とを備え、前記ベルト１０と、前記伸縮把手４１に外嵌した前記筒状カバー５０とを介して、他のバッグ類又は包装物等（以下、単に他のバッグ類という。）６０を、前記キャリーバッグ４０にのせられるように、又は、吊るせるようにしたものである。
また、本発明キャリーバッグ用ベルトは、上記課題を達成するため、図示するように、請求項２の発明は、請求項１の発明において、前記ベルト１０が、前記伸縮把手４１に外嵌した筒状カバー５０の筒外面５２又は筒内面５３の上端と下端とから、前記伸縮把手４１の間を通って、前記他のバッグ類６０を前記キャリーバッグ４０にのせ、又は、吊るせるようにしたものである。
さらに、本発明キャリーバッグ用ベルトは、上記課題を達成するため、図示するように、請求項３の発明は、請求項１の発明において、前記ベルト１０が、前記伸縮把手４１に外嵌できるようにした筒状カバー５０の筒外面５１又は５２又は筒内面５３又は５４に結合できるようにして、前記筒状カバー５０の上端と下端とから前記伸縮把手４１の間を通って、前記他のバッグ類６０を前記キャリーバッグ４０にのせ、又は、吊るせるようにしたものである。
本発明において、着脱可能に接合するための多数の小突起を植設したかみあい部は、前記小突起が、ループ状係合素子とこれに着脱可能に係着するフック状係合素子が使用されている、いわゆるマジックテープ（登録商標）と呼ばれるもののシート状又はテープ状のものが使用される。
【発明の効果】
【０００５】
本発明によれば、キャリーバッグ４０に、伸縮把手４１に外嵌した筒カバー５０を介して、ベルト１０によりのせ又は吊るした他のバッグ類６０は、ベルト１０により胴回りをしばれるもの、又は、ベルト１０により吊せるものであればよく、他のバッグ類６０は、どのような大きさや外形のものでもよい。また、他のバッグ類６０は、伸縮把手４１に筒状カバー５０を介して固縛した形になるので、キャリーバッグ４０の上面は、傾斜又は凹凸により水平面を形成していないものでもよい。
また、本発明品は、軽量、小型かつ構造簡単なため、使用しないときはキャリーバッグ４０に収容することができ、製作も安価につく利点がある。
【発明を実施するための最良の形態】
【０００６】
本発明キャリーバッグ用ベルトを実施するための最良の形態が実施例１及び２に示されている。
【実施例１】
【０００７】
本発明実施例１が図１及び図２に示されている。本発明実施例のキャリーバッグ用ベルトは、ベルト１０と、ベルト１０の一端部１１から中間部１２にかけて、ベルト１０面に縫着した、ループ状係合素子の小突起２１を多数個植設したかみ合いシート２０と、ベルト１０の他端部１３の反対面に縫着したフック状係合素子の小突起３１を多数個植設したかみ合いシート３０と、キャリーバッグ４０の伸縮把手４１に外嵌できるようにした筒状カバー５０とを備えている。キャリーバッグ４０に他のバッグ類６０を搭載したいときは、ベルト１０を、キャリーバッグ４０の伸縮把手４１に外嵌した筒状カバー５０の筒外面５２に接触するように、伸縮把手４１の把手間の上隙間及び下隙間に挿入し、図１に示すように、他のバッグ類６０の胴回りを巻回して、かみ合いシート２０の小突起２１に、かみ合いシート３０の小突起３１を強く抱きしめるように接合して固縛すればよい。
また、図１に示すように、他のバッグ類例えば小バッグ類等６０を吊り下げることもできる。
さらに、本実施例において、図３に示すように、ベルト１０を筒状カバー５０の筒内を通過して、伸縮把手４１の把手間の上隙間及び下隙間から挿入して他のバッグ類６０を固縛し、また、他のバッグ類例えばスーツケース等６０を吊り下げてもよい。
【実施例２】
【０００８】
本発明の実施例２が図４に示されている。本発明実施例のキャリーバッグ用ベルトは、ベルト１０と、ベルト１０の中間に縫着により結合された筒状カバー５０とを備えている。ベルト１０Ｂの中間に結合される筒状カバー５０は、縫着以外にかみあい部２０又は３０と同様な着脱可能な接合、ホック止め、フック止め等による止着又は着脱可能な止着でもよい。さらに、ベルト１０Ｂの中間と筒状カバー５０との結合は、筒状カバー５０の筒外面５１又は５２、筒内面５３又は５４でもよい。本実施例のキャリーバッグ用ベルトの作用効果は、実施例１のキャリーバック用ベルトと同じであるので詳細説明は省略する。
【産業上の利用可能性】
【０００９】
本発明品は構造簡単軽量小型で量産でき、安価につく。
【図面の簡単な説明】
【００１０】
【図１】本発明実施例１を示す原理説明図である。
【図２】本発明実施例１を示す使用状態説明図である。
【図３】本発明実施例１を示すさらに別の原理説明図である。
【図４】本発明実施例２を示す原理説明図である。
【符号の説明】
【００１１】
１０          ベルト
１１          ベルトの一端部
１２          ベルトの中間部
１３          ベルトの他端部
２０          かみ合いシート
２１          小突起
３０          かみ合いシート
３１          小突起
４０          キャリーバッグ
４１          伸縮把手
５０          筒状カバー
５１、５２    筒状カバーの筒外面
５３、５４    筒状カバーの筒内面
６０          他のバッグ類
【図１】
0004798568.tif 000002
【図２】
0004798568.tif 000003
【図３】
0004798568.tif 000004
【図４】
0004798568.tif 000005